(57)【特許請求の範囲】
【請求項１】
包装箱の開口部の正面側の上端に内フラップが延設され、包装箱の開口部の背面側の上端に吊り下げ片が延設され、この吊り下げ片は横方向に延びる折り曲げ線を中心に折り畳み可能であり、折り畳まれた吊り下げ片の正面側に位置する片を正面片として、正面片には２つの切込が設けられ且つこれら２つの切込の間の部分から外フラップが延びており、正面片に２つの切込が設けられることによって前記外フラップの両側にそれぞれ差込片が形成され、該差込片は、開口部を閉じるときに吊り下げ片の正面片を手前に１８０度折り曲げることにより開口部から包装箱の中に差し込むことが可能であり、前記内フラップ、吊り下げ片及び外フラップは可撓性を有する材料で形成されており、外フラップの端部に差込ロック片が延設され、内フラップの基部に前記差込ロック片の差込口が設けられ、且つこの差込口に外側から差込ロック片を差し込んだときにその抜け出しを阻止するロック構造を備えていることを特徴とするロック機能を有する陳列用包装箱。
【請求項２】
差込ロック片が撓んだときにのみ差込口に差込可能となるように差込ロック片及び差込口は構成され、差込後に差込ロック片が元の形状に復帰することにより差込ロック片は差込口から抜け出ない請求項１の陳列用包装箱。
【請求項３】
差込ロック片は外フラップよりも側方に突出する突出部を有し、その突出部を含む差込ロック片が差込口に差込可能である請求項２記載の陳列用包装箱。
【請求項４】
外フラップの側縁と交わってその側縁から離れる方向に延びる前記突出部の縁部に折り返し片が設けられている請求項３記載の陳列用包装箱。
【請求項５】
内フラップの基端に沿って差込口としてのスリットが設けられ、このスリットは端に行くに従って前記基端から離れるように曲がっている請求項４記載の陳列用包装箱。
【発明の詳細な説明】
【技術分野】
【０００１】
本発明は、主に量販店で販売される商品の陳列用包装箱に関する。
【背景技術】
【０００２】
包装箱の底抜けを防止するためにロック機構を有する包装箱は従来から存在する（例えば、特許文献１参照。）。また、量販店で包丁を吊り下げて陳列するための包丁包装ケースも存在する（例えば、特許文献２参照。）。
【特許文献１】特開２００１−１９９４３５号公報
【特許文献２】特開２０００−１０９１５３号公報
【発明の開示】
【発明が解決しようとする課題】
【０００３】
本発明は、フラップをロックすることによって、包装箱を切り開いたりなどしない限り内容物を取り出すことができず、フラップを一度ロックすると手先でそのロックを解除することは非常に困難で、鋏などで包装箱を切り開いたり、ロック構造を破断してロックを解除しなければ容易に内容物を取り出せない陳列用包装箱の提供を課題とする。
【０００４】
特許文献１に開示されているようにフラップをロックする包装箱は存在する。この文献の包装箱は底抜けを防止するためのロック機構であって、包装箱の運搬中などに底が抜けないことを目的としている。したがって、運搬が終了してフラップを開くときは、手で側面版を外側に少し押し開けばロックが解除されてフラップを容易に開くことができる構成である。すなわち、人がロック構造に手をかけなければロック構造は維持できるが、ロックを解除するためにロック構造に手をかければ容易に解除できる構成である。
【０００５】
また、特許文献２のように包丁専用の包装箱が存在する。この文献のように、従来の包丁用包装箱はコストを軽減するために、部品点数を低減して製造を容易に行うことを目的としている。この結果、包装箱は容易に開くことができて包装されている包丁を即座に取り出すことができる。
【０００６】
ところで近年、刃物を使った凶悪犯罪が増加し社会問題となっている。包丁などの刃物はその目的通り使用すれば問題ないが、包丁自体は十分な殺傷能力を持っている。したがって、量販店で包装箱入り包丁を購入した粗暴な人間が、何かのきっかけで包装箱からすぐに包丁を取り出して凶器に使用することが十分に考えられる。また、凶悪犯が包丁を持たずに店に入って、店内に陳列されている包丁の包装箱から包丁を簡単に取り出して凶器に使用する虞もある。この場合、包装箱がロックされ、しかもそのロックが容易に解除できない構成であれば凶悪事件を未然に防止することができる。そこで、本発明は、包装箱に包装されている包丁が簡単に取り出すことのできない包装箱を提供することを目的とする。
【０００７】
また、量販店では包装箱入りのさまざまな商品が陳列されているが、包装箱のフラップを簡単に開くことができるから、包装箱の中の商品のみを取り出して万引きされることがある。そこで、本発明はそのような万引きを防止するために包装箱の中身を簡単に取り出すことのできない包装箱を提供することを目的とする。
【課題を解決するための手段】
【０００８】
本発明の請求項１は、包装箱の開口部の正面側の上端に内フラップが延設され、包装箱の開口部の背面側の上端に吊り下げ片が延設され、この吊り下げ片は横方向に延びる折り曲げ線を中心に折り畳み可能であり、折り畳まれた吊り下げ片の正面側に位置する片を正面片として、正面片には２つの切込が設けられ且つこれら２つの切込の間の部分から外フラップが延びており、正面片に２つの切込が設けられることによって前記外フラップの両側にそれぞれ差込片が形成され、該差込片は、開口部を閉じるときに吊り下げ片の正面片を手前に１８０度折り曲げることにより開口部から包装箱の中に差し込むことが可能であり、前記内フラップ、吊り下げ片及び外フラップは可撓性を有する材料で形成されており、外フラップの端部に差込ロック片が延設され、内フラップの基部に前記差込ロック片の差込口が設けられ、且つこの差込口に外側から差込ロック片を差し込んだときにその抜け出しを阻止するロック構造を備えている構成である。
【０００９】
請求項２は、差込ロック片が撓んだときにのみ差込口に差込可能となるように差込ロック片及び差込口が構成され、差込後に差込ロック片が元の形状に復帰することにより差込ロック片は差込口から抜け出ない構成である。
【００１０】
請求項３は、差込ロック片が外フラップよりも側方に突出する突出部を有し、その突出部を含む差込ロック片が差込口に差込可能である構成である。
【００１１】
請求項４は、外フラップの側縁と交わってその側縁から離れる方向に延びる突出部の縁部に折り返し片が設けられている構成である。
【００１２】
請求項５は、内フラップの基端に沿って差込口としてのスリットが設けられ、このスリットは端に行くに従って前記基端から離れるように曲がっている構成である。
【発明の効果】
【００１３】
請求項１は、包装箱の開口部の正面側の上端に内フラップが延設され、包装箱の開口部の背面側の上端に吊り下げ片が延設され、この吊り下げ片は横方向に延びる折り曲げ線を中心に折り畳み可能であり、折り畳まれた吊り下げ片の正面側に位置する片を正面片として、正面片には２つの切込が設けられ且つこれら２つの切込の間の部分から外フラップが延びており、正面片に２つの切込が設けられることによって前記外フラップの両側にそれぞれ差込片が形成され、該差込片は、開口部を閉じるときに吊り下げ片の正面片を手前に１８０度折り曲げることにより開口部から包装箱の中に差し込むことが可能であり、前記内フラップ、吊り下げ片及び外フラップは可撓性を有する材料で形成されており、外フラップの端部に差込ロック片が延設され、内フラップの基部に前記差込ロック片の差込口が設けられ、且つこの差込口に外側から差込ロック片を差し込んだときにその抜け出しを阻止するロック構造を備えている。したがって、内容物である包丁などを簡単に取り出すことができないように包装箱に包装し、陳列フックなどに吊り下げて陳列することができる。
【００１４】
請求項２は、差込ロック片が撓んだときにのみ差込口に差込可能となるように差込ロック片及び差込口は構成され、差込後に差込ロック片が元の形状に復帰することにより差込ロック片は差込口から抜け出ない構成である。したがって、差し込まれた差込ロック片は外側から手に触れることができないので、手で差込ロック片を撓ませて差込口から引き出すことができない。このように本発明のロックは外側から簡単に外せないので、包装されている包丁などを簡単に取り出すことができず危険を未然に防止できる。
【００１５】
請求項３は、差込ロック片が外フラップよりも側方に突出する突出部を有し、その突出部を含む差込ロック片が差込口に差込可能である構成である。突出部を撓ませることによって差込ロック片を差込口に挿入できる構成にすれば、突出部は突出した部分であるから撓みやすく、差込ロック片を容易に差し込むことができる。
【００１６】
請求項４は、外フラップの側縁と交わってその側縁から離れる方向に延びる前記突出部の縁部に折り返し片が設けられている構成である。片端部差込が差込口に差し込まれた後で折り返し片は開く。開く度合いはやや開く程度から９０度開くまでの範囲である。この開いた折り返し片が差込ロック片の突出部と協働して差込ロック片の差込口からの抜け出しをさらに強固に阻止できる。
【００１７】
請求項５は、内フラップの基端に沿って差込口としてのスリットが設けられ、このスリットは端に行くに従って前記基端から離れるように曲がっている構成である。したがって、差込ロック片をスリットと同じように曲げることにより、差込ロック片をスリットに差し込むことができる。差込ロック片が完全に差し込まれたときは、差込ロック片は元の形状に復帰するので曲がっているスリットを通過することがない。これにより、差込ロック片をロックすることができる。
【発明を実施するための最良の形態】
【００１８】
次に本発明の最良の形態について説明する。図９に示すように包装箱１は庖丁２を包装するためのものであり、量販店等の販売場所の陳列用フックに吊り下げて陳列される。庖丁２は包装箱１の中で動かないように台紙３で支持される。
【００１９】
まず、包装箱１の上端の構造について説明する。包装箱１は透明なポリプロピレンの板で形成されている。板の厚みは０．３ｍｍが好ましいがこれに限定されるものではない。また、透明でなくてもよく、あるいは半透明であってもよい。図１は包装箱１の上端の構造を示している。包装箱１は、正面板５と背面板６と、両側面板７，７で囲まれており、上端に開口部４が形成されている。正面板５の上端縁８に内フラップ９が延設され、その内フラップ９には差込片１０が延設されている。さらに、内フラップ９の基端に沿ってスリット状差込口１１が設けられている。内フラップ９の基端は正面板５の上端縁８に沿う部分を言う。スリット状差込口１１は全長に亘って直線状ではなく、端に行くに従って上端縁８から離れるように曲がっている。
【００２０】
両側面板７，７の上端縁にはサイドフラップ１２，１２が設けられている。
【００２１】
背面板６の上端縁には吊り下げ片１３が延設されている。この吊り下げ片１３は折り曲げ線１４で折り畳むことができる。折り畳み方は、折り曲げ線１４を中心として正面片１５を背面片１６側に１８０度折り曲げて折り畳む。正面片１５と背面片１６にはそれぞれ孔１７，１８が形成されている。この孔１７，１８は重なりあって陳列時に陳列用フックが挿通され、包装箱１が吊り下げられる。
【００２２】
吊り下げ片１３の正面片１５には２つの切込１９，１９が設けられ、これらの切込１９，１９の間に外フラップ２０が形成されている。この外フラップ２０には三日月状の差込ロック片２１が延設されている。差込ロック片２１の両側には外フラップ２０よりも側方に突出する突出部２２，２２が一体に形成されている。さらに、突出部２２，２２には折り返し片２３，２３が一体に形成されている。また、切込１９，１９が設けられることによって、その両側に差込片２４，２４が形成される。これらの差込片２４，２４は開口部４を閉じるときにその開口部４，４から包装箱１の内部に差し込む。なお、図８は包装箱を組み立てる前の状態を示す図であって、のりしろ３５を背面板６に接着することによって包装箱が組み立てられる。
【００２３】
次に、上端の開口部４を閉じる方法について説明する。図１に示すように、まず両サイドフラップ１２，１２を内側に折り曲げる。次いで、図２に示すように内フラップ９を内側に折り曲げて開口部４を閉じる。この際、内フラップ９に設けられた差込片１０をさらに内側に折り曲げて包装箱１の内部に差し込む。この後に、図３に示すように外フラップ２０を外側に９０度折り曲げて、さらに吊り下げ片１３の正面片１５を手前に１８０度折り曲げる。そして、差込片２４，２４を包装箱１の中に差し込む。次に、差込ロック片２１を下向きに９０度折り曲げてから、その差込ロック片２１をスリット状差込口１１に差し込む。差込ロック片２１の突出部２２，２２が差し込まれるべきスリット状差込口１１の端部分が曲がっているので、突出部２２，２２もその曲がり具合に対応するように曲がった状態でスリット状差込口１１に差し込まれる。なお、差込ロック片２１をスリット状差込口１１に差し込むときに、折り返し片２３，２３が容易に曲がるようにするために、折り返し片２３，２３は差込ロック片２１の突出部２２，２２に対して折り重ねることが好ましい。
【００２４】
このようにして、図４に示すように差込ロック片２１がスリット状差込口１１を通って包装箱１の中に完全に差し込まれると、スリット状差込口１１を通るときに曲がっていた差込ロック片２１は元の形状に復帰する。すなわち、曲がっていた部分がまっすぐになる。その結果、差込ロック片２１の両突出部２２，２２とスリット状差込口１１との位置がずれるので差込ロック片２１はロックされるのである。また、折り返し片２３，２３が突出部２２，２２と協働してロックするので非常に強固である。また、ロックを解除するためには差込ロック片２１をスリット状差込口１１と同じように曲げる必要がある。しかし、差込ロック片２１は包装箱１の中に差し込まれていて外側から操作することが困難である。したがって、実際上はロックを解除することができず包装されている庖丁を容易に取り出すことができないから、安全性の高い包装箱を提供することができる。
【００２５】
次に、包装箱１の下端の構造について説明する。図５は包装箱１の下端の構造を示している。下端にも開口部２５が形成されている。正面板５の下端縁２６に内フラップ２７が延設され、その内フラップ２７には差込片２８が延設されている。さらに、内フラップ２７の基端に沿ってスリット状差込口２９が設けられている。内フラップ２７の基端は正面板５の下端縁２６に沿う部分を言う。スリット状差込口２９は全長に亘って直線状ではなく、端に行くに従って下端縁２６から離れるように曲がっている。
【００２６】
両側面板７，７の下端縁にはサイドフラップ３０，３０が設けられている。
【００２７】
背面板６の下端縁の中央に外フラップ３１が延設されている。外フラップ３１の幅は上端の外フラップ２０の幅とほぼ同じである。下端の外フラップ３１には三日月状の差込ロック片３２が延設されている。差込ロック片３２の両側には外フラップ３１よりも側方に突出する突出部３３，３３が一体に形成されている。さらに、突出部３３，３３には折り返し片３４，３４が一体に形成されている。
【００２８】
次に、下端の開口部２５を閉じる方法について説明する。図５に示すように、まず両サイドフラップ３０，３０を内側に折り曲げる。次いで、図６に示すように内フラップ２７を内側に折り曲げて開口部２５を閉じる。この際、内フラップ２７に設けられた差込片２８をさらに内側に折り曲げて包装箱１の内部に差し込む。この後に、図７に示すように外フラップ３１を折り曲げ、さらに差込ロック片３２を下向きに９０度折り曲げてから、その差込ロック片３２をスリット状差込口２９に差し込む。その際、差込ロック片３２の突出部３３，３３が差し込まれるべきスリット状差込口２９の端部分が曲がっているので、突出部３３，３３もスリット状差込口２９の曲がり具合に対応するように曲がって差し込まれる。なお、差込ロック片３２をスリット状差込口２９に差し込むときに、折り返し片３４，３４が容易に曲がるようにするために、折り返し片３４，３４は差込ロック片３２の突出部３３，３３に対して折り重ねることが好ましい。
【００２９】
このようにして、図７に示すように差込ロック片３２がスリット状差込口２９を通って包装箱１の中に完全に差し込まれると、スリット状差込口２９を通るときに曲がっていた差込ロック片３２は元の形状に復帰する。すなわち、曲がっていた部分がまっすぐになる。その結果、差込ロック片３２の両突出部３３，３３とスリット状差込口２９との位置がずれるので差込ロック片３２はロックされるのである。また、折り返し片３４，３４が突出部３３，３３を補強するのでそのロックは非常に強固となる。
【図面の簡単な説明】
【００３０】
【図１】本発明の包装箱の上端の構造を示す斜視図
【図２】包装箱の上端の内フラップを閉じた状態の斜視図
【図３】包装箱の上端の外フラップを閉じようとする状態の斜視図
【図４】包装箱の上端の開口部を閉じた状態の斜視図
【図５】包装箱の下端の構造を示す斜視図
【図６】包装箱の下端の内フラップを閉じた状態の斜視図
【図７】包装箱の下端の開口部を閉じた状態の斜視図
【図８】包装箱の展開図
【図９】本発明の使用状態を示す正面図
【符号の説明】
【００３１】
１  包装箱、    ２  庖丁、    ３  台紙、    ４  開口部、    ５  正面板、    ６  背面板、    ７  側面板、    ８  上端縁、    ９  内フラップ、    １０  差込片、    １１  スリット状差込口、    １２  サイドフラップ、    １３  吊り下げ片、    １４  折り曲げ線、    １５  正面片、    １６  背面片、    １７  孔、    １８  孔、    １９  切込、    ２０  外フラップ、    ２１  差込ロック片、    ２２  突出部、    ２３  折り返し片、    ２４  差込片、    ２５  開口部、    ２６  下端縁、    ２７  内フラップ、    ２８  差込片、    ２９  スリット状差込口、    ３０  サイドフラップ、    ３１  外フラップ、    ３２  差込ロック片、    ３３  突出部、    ３４  折り返し片、    ３５  のりしろ
【図１】
0005128770.tif 000002
【図２】
0005128770.tif 000003
【図３】
0005128770.tif 000004
【図４】
0005128770.tif 000005
【図５】
0005128770.tif 000006
【図６】
0005128770.tif 000007
【図７】
0005128770.tif 000008
【図８】
0005128770.tif 000009
【図９】
0005128770.tif 000010